(57)【要約】  本発明は、シリンダ（８）、および、シリンダ（８）内を移動することのできるピストン、ならびにピストンに連結されているピストンロッド（９）を有する線形ダンパを備える、可動式什器部分のための減衰装置（１）に関する。ピストンロッド（９）は、シリンダから離れて向く位置にバイアスされる。線形ダンパは、可動式什器部分（５）に取付けられる停止部（６）と相互に作用するタペット（７）に連結される。本発明によって、什器部分の設計に関係なく、減衰装置（１）を構成することができるようになる。【選択図】  図１
2009503290.tif 000002
【特許請求の範囲】
【請求項１】
シリンダ（８）と、前記シリンダ（８）内を移動することのできるピストンと、前記ピストンに結合されているピストンロッド（９）とを有する線形ダンパを有する、可動式什器部分のための減衰装置（１）であって、前記ピストンロッド（９）が前記シリンダから離れて向けられる位置でプレテンションされており、前記線形ダンパがタペット（７）と結合されており、前記タペット（７）が前記可動式什器部分（５）に取付けられた停止部（６）と協働する、減衰装置（１）において、
前記停止部（６）が平坦要素が設置される前記什器部分のフレーム上に固定され、前記停止部（６）が前記什器部分（５）から突出することを特徴とする、減衰装置。
【請求項２】
前記フレームが、中にガラス板が収容されているアルミニウム製のフレームとして実装されることを特徴とする、請求項１に記載の減衰装置。
【請求項３】
前記停止部（６）が前記什器部分にネジ止めされることを特徴とする、請求項１または２に記載の減衰装置。
【請求項４】
前記停止部（６）がヒンジ部と一体的に実装されることを特徴とする、請求項１〜３のいずれか一項に記載の減衰装置。
【請求項５】
前記線形ダンパが、ヒンジ部に固定されることのできるハウジング（４）によって包囲されることを特徴とする、請求項１〜４のいずれか一項に記載の減衰装置。
【請求項６】
前記ハウジング（４）がキャッチ連結部を介してヒンジ部に固定されることを特徴とする、請求項５に記載の減衰装置。
【請求項７】
前記シリンダ（８）に対する前記ピストンロッド（９）のストロークの長さが調節可能であることを特徴とする、請求項１〜６のいずれか一項に記載の減衰装置。
【請求項８】
調整手段（１３，１４）が、ばねの力に反して前記ピストンロッド（９）を前記シリンダ（８）に押し込むために設けられていることを特徴とする、請求項７に記載の減衰装置。
【請求項９】
前記調整手段（１３，１４）が、停止部を形成して、前記シリンダ（８）からの前記ピストンロッド（９）の伸張運動を画定することを特徴とする、請求項８に記載の減衰装置。
【請求項１０】
当該減衰装置が、前記ハウジング（４）を使用してヒンジからある距離をおいて前記什器本体に設置されることを特徴とする、請求項１〜９のいずれか一項に記載の減衰装置。
【発明の詳細な説明】
【技術分野】
【０００１】
本発明は、シリンダと、シリンダ内を移動することのできるピストンと、ピストンに結合されているピストンロッドとを有する線形ダンパを有する、可動式什器部分のための減衰装置（運動制限装置：damping device）であって、ピストンロッドがシリンダから離れて向けられる位置でプレテンションされており、線形ダンパがタペットと結合されているものに関する。
【背景技術】
【０００２】
空気または油を使用して作動する線形ダンパが什器本体またはドアに締結される、可動式什器部分のための減衰装置がある。このような減衰装置には、対応する什器部分に発生位置が必要であり、このことは、特に、ガラス板など平坦要素を有する什器のドアには困難である。このような平坦要素を有するドアに減衰装置を締結することは不可能である。この場合、ガラス板を通して見る外観が悪影響を受けるからである。平坦要素に対する入射ポイントがなく、ガラス板の停止部を避けなければならないので、減衰装置を本体に締結することもまた、不可能である。
【０００３】
さらに、回転ブレーキを使用して作動する減衰装置が、知られている。これらの回転ダンパは、複雑な方法で挿入されて什器部分に皿もみしなければならず、このことが、特に改造するための多大な努力につながる。これらの回転ダンパには、必要とされる空間がかなり大きく、平坦要素を有する什器のドアでの使用もまた、わずかしか可能でないという問題がある。
【発明の開示】
【発明が解決しようとする課題】
【０００４】
したがって、本発明は、可動式什器部分の設計とは無関係に設置されることができる、可動式什器部分のための減衰装置を提供するという目的に基づくものであり、特にアルミニウム製のフレーム輪郭のドアで改造されることができるという解決策を示すものである。
【課題を解決するための手段】
【０００５】
本目的は、請求項１の特徴を有する減衰装置によって達成される。
【０００６】
本発明によると、線形ダンパと結合されているタペットが可動式什器部分に取り付けられた停止部と協働し、もってタペットが什器部分の閉位置で停止部と接触し、そうでない場合には、什器部分は減衰力によって荷重がかけられない。したがって、減衰装置は、什器部分の設計とは無関係に実装されることができ、例えば、ガラス板を有するドアに減衰装置が設けられることもできる。
【０００７】
好ましい一実施形態によると、停止部が什器部分から突出している。したがって、停止部とタペットとの間の減衰力の伝達が、最適に設計されることができる。停止部は、什器部分のフレーム上に固定されることができ、このフレームに平坦要素が設置される。フレームは、アルミニウム製のフレームとして実装されるのが好ましく、このフレームにガラス板が収容されている。停止部はまた、アルミニウムからなり、またはアルミニウムが付いた表面を有することもできるので、停止部によって視覚的に魅力的な外観が与えられる。簡単に取り付けるために、停止部が什器部分にネジ止めされる。
【０００８】
有利な一実施形態によると、線形ダンパが、ヒンジ部に固定されているハウジングによって包囲されている。このハウジングは、キャッチ連結部を介してヒンジ部に固定されることができ、適切な取付け点が存在する場合には、既存のヒンジにもまた、対応する減衰装置が備えられることが可能になる。自由に配置可能なハウジングに減衰装置を設けることもまた可能であるので、減衰装置はまたヒンジとは無関係に取り付けられることができる。
【０００９】
本発明のさらなる一実施形態によれば、シリンダに対するピストンロッドのストロークの長さが調節可能であるので、減衰路の長さが変更可能である。したがって、減衰装置は、特にそれらの重量および閉止速度に関して異なる可動式の什器部分に適合可能である。この目的のために、ばねの力に反してピストンをシリンダに押し込む調整手段を設けるのが好ましい。調整手段は、停止部を形成して、シリンダからのピストンの伸張運動を画定する。したがって、同じ減衰装置が、異なるサイズのドアおよび他の什器部分に使用されることができる。
【００１０】
本発明を、例示的実施形態に基づいて、添付の図面を参照しつつ、以下にさらに詳細に説明する。
【発明を実施するための最良の形態】
【００１１】
減衰装置１が、ハウジング４に固定されているプレート２を備え、ハウジングはキャッチ連結部を介してヒンジに結合されている。
【００１２】
アルミニウム製の中空の輪郭５でできているフレームを有し、このフレームの中にガラス板が平坦要素として包囲されているドアが、什器本体３に保持されているので、ドアは接合機構１７を介して回動可能である。この目的のために、溝が中空の輪郭５のそれぞれに埋め込まれている。停止部６が、溝２５に隣接して中空の輪郭５にネジ止めされており、停止部はアルミニウムまたはプラスチックからなるが、金属色であり、中空の輪郭５から視覚的に目立たないことが好ましい。
【００１３】
ドアが閉位置になる前の約５度〜約１７度に達した場合に、停止部は減衰装置１のタペット７と協働する。タペット７は、シリンダ８およびピストンロッド９を有する線形ダンパに連結されている。減衰要素がシリンダ８に設けられており、減衰要素は、空気または油を使用して作動し、動的な減衰力、およびさらには、ドアが閉止している場合の静的な（ｓｔａｔｉｏｎａｒｙ）減衰力の両方を発生させる。ピストンロッド９は、ハウジング４の停止面１０を押圧する。ドアが閉止されるにつれて、停止部６がタペット７に押圧され、タペット７はシリンダ８に作用して、ピストンロッド９をシリンダ８に押し入れる。その結果、線形ダンパが作動して、必要とされる減衰力を提供する。
【００１４】
減衰装置が、図２に詳細に示されている。シリンダ８およびタペット７の一部分が、ハウジング４の受け口１１に収容され、これらが移動可能となるようにそこに取り付けられる。タペット７は、プラスチックまたは金属からなってもよく、停止部６に向いている表面はまた、コーティングされることが可能である。
【００１５】
減衰装置は、シリンダ８に対するピストンロッド９のストロークの長さを画定するために調節可能なように実装される。この目的のために、画定要素１２が設けられ、この画定要素１２は調整ディスク１４と協働する。画定要素１２は、突出しているピン１３を有し、ピン１３はハウジング４を通って受け口でタペット７に係合し、ハウジング４の停止面１０の方向にタペット７を移動させることができる。この目的を達成するために、らせん状の曲線ガイド１５が調整ディスク１４に実装され、画定要素１２のピンが調整ディスク１４の中で係合する。調整ディスク１４は、開口部１６を備えており、下にあるプレートの回転軸１８が開口部１６の中で係合する。このようにして調整ディスク１４がプレート２に保持されるので、調整ディスク１４は回転可能であり、プレート２は、調整ディスク１４のための対応するディスク状の受け口１９を備えている。したがって、タペット７による減衰路の長さは、調整ディスク１４を回転させることによって画定されることができる。
【００１６】
什器本体に分離して取付け可能な減衰装置の変形実施形態が、図３に示されている。減衰装置は、シリンダ８およびピストンロッド９を有する線形ダンパを備え、タペット７がシリンダ８に差し込まれている。凹部２２がタペット７に設けられており、画定要素の突出している突起１３’が凹部で係合する。画定要素は、曲線ガイドを有する調整ディスク１４で保たれ、突起１３’を有する画定要素の位置は、調整ディスク１４を回転させることによって移動し、調整ディスク１４によってシリンダ８に対するピストンロッド９のストロークの長さが変化する。このようにして、減衰路が調整されることができる。
【００１７】
ハウジング４の下にあるプレートが、ネジを介して什器本体３に固定され、前縁部１７’を什器本体３の縁部に有する所定の位置に固定される。減衰装置はここで、ヒンジとは無関係に別個のハウジング４に設置され、什器本体３に自由に固定されてもよく、対応する停止部がタペット７と向かい合って取り付けられる。
【００１８】
図１の減衰装置の停止部６が、図４に示されている。停止部は、上部３０を備え、上部にタペット７のための停止面３４が実装されている。上部３０は、孔３５を備えているので、上部３０は下部３１にネジ止めされることができる。さらに、中央の凹部３６が、材料を節約するために設けられている。下部３１は、ヒンジの構成要素であり、接合機構のための取付けポイント３３を備える。上部３０および下部３１は、互いに保持され、突起３２および対応する凹部を介して所定の位置に固定されている。上部３０はまた、既存のヒンジで改造されることもできる。さらに、ヒンジが減衰装置を備えていることになっている場合には、上部３０を下部ヒンジ部３１と一体的に実装することが可能である。
【００１９】
図１の減衰装置が、取り付けられた状態で図５および図６に示されている。ハウジング４は線形ダンパを受け入れており、突出部の前面は停止部６を押圧している。停止部６は、ほぼ立方形として実装されており、タペット７よりも大きな幅を有するので、停止部６はハウジング４に対してほぼ対称的に設置されている。ドアを有する中空の輪郭５を回動することができるように、ヒンジもまた、ハウジング４に収容されている。
【００２０】
減衰装置は、ヒンジと共に什器本体３に固定されている。減衰装置１をヒンジから分離して設けることもまた、当然ながら可能である。さらに、減衰装置１は、既存のヒンジで改造されることができ、例えば、ヒンジに取付けられるか、またはヒンジに隣接して固定されることができる。
【００２１】
停止部６は、示されている例示的な実施形態では突出しているブロックとして実装され、停止部６は画成された停止面を有する。プレート状であるかまたは別の幾何学的形状を有する停止部６を設けることもまた、当然ながら可能である。
【図面の簡単な説明】
【００２２】
【図１】本発明による減衰装置の取付けられた状態の斜視図である。
【図２】図１の減衰装置の分解説明図である。
【図３】変形した減衰装置の斜視図である。
【図４】図１の減衰装置の部分斜視図である。
【図５】図１の減衰装置のわずかに開いている位置にある斜視説明図である。
【図６】図１の減衰装置のほぼ閉位置にある斜視説明図である。
【図１】
2009503290.tif 000003
【図２】
2009503290.tif 000004
【図３】
2009503290.tif 000005
【図４】
2009503290.tif 000006
【図５】
2009503290.tif 000007
【図６】
2009503290.tif 000008
【国際調査報告】
2009503290.tif 000009
2009503290.tif 000010
2009503290.tif 000011
2009503290.tif 000012
2009503290.tif 000013
2009503290.tif 000014